(57)【要約】      （修正有）【課題】所定形状の鉢状ブロック体を仕切体で仕切ると共に、仕切体毎に容易に引き抜くことができる植裁用ブロック体及び該ブロック体を用いる植裁簡易育成方法を提供する。【解決手段】縦状枠体を有する植栽用ブロック体１において,外枠内部に複数の仕切材を連接すると共に,該仕切体３底部は有孔で,且つ外枠体２の底部より少なくとも５ｍｍ以上の高さを有する植栽用ブロック体１を用いて,該仕切体３内部に多孔質物質を設置し、次いで土壌を仕切体３上面まで充填して植栽を植えてなることを特徴とする植栽簡易育成方法。【選択図】図１
2007082497.tif 000002
【特許請求の範囲】
【請求項１】
縦状枠体を有する植裁用ブロック体において、外枠体内部に複数の仕切材を連接すると共に、該仕切体底部は有孔で、且つ、外枠体の底部より少なくとも５ｍｍ以上の高さを有するように一体成形されてなる植裁用ブロック体。
【請求項２】
前記植裁用ブロック体の各仕切部の底部には、多孔質物質が載置されていることを特徴とする請求項１記載の植裁用ブロック体。
【請求項３】
前記植裁用ブロック体の外枠外部には、嵌合可能な窪み部と引っ掛け部とが相反する向きに設置されて、複数のブロック体を連結可能にしていることを特徴とする請求項１及び請求項２記載の植裁用ブロック体。
【請求項４】
前記植裁用ブロック体の外枠側面の底部には、複数のＬ字状の固定具が取付けられてピン固定可能となっていることを特徴とする請求項１〜請求項３記載の植裁用ブロック体。
【請求項５】
外枠体内部に複数の仕切材を連接すると共に、該仕切体底部は有孔で、且つ、外枠体の底部より少なくとも５ｍｍ以上の高さを有する植裁用ブロック体を用いて、該仕切体内部に多孔質物質を設置し、次いで土壌を仕切体上面まで充填して植裁を植えてなることを特徴とする植裁簡易育成方法。
【請求項６】
外枠体内部に複数の仕切材を連接すると共に、該仕切体底部は有孔で、且つ、外枠体の底部より少なくとも５ｍｍ以上の高さを有する植裁用ブロック体を用いて、該仕切体内部に多孔質物質を設置し、次いで土壌を仕切体上面まで充填して植裁を植えた複数の植裁用ブロック体を連結すると共に、建築物の車庫、屋上、斜面に設置してピン固定することを特徴とする植裁簡易育成方法。
【発明の詳細な説明】
【技術分野】
【０００１】
本発明は、植裁用ブロック体及び該ブロック体を用いる植裁簡易育成方法に関し、さらに詳しくは、特に芝材の様な植裁を簡易に育成する際に貯水性に富む多孔性物質を各仕切体底部に内蔵することによって仕切体毎に内部の植裁を自在に育成・廃棄させることができるようにし、又、前記ブロック体を連結することによって車庫、屋上、斜面に設置して広い面積の緑化を進めることができる様にしたものである。
【背景技術】
【０００２】
芝等の植裁を鉢を用いて育成することは公知であり、又、その鉢を連結することによって足踏可能な広さの芝床にすることも知られている（実開平７−１７０２５号公報参照）。
【０００３】
また、屋上緑化の為に、屋上の屋根スラブの上面に断熱材を敷き詰め、該断熱材の上面に防水性を有するシート防水を施して防水層を形成し、該防水層の上面に貯水可能な保水マットを敷いて保水層を形成し、該保水層の上面に排水性の高い軽量人工土壌を敷き詰めた構成とし、前記保水層の上面に樹木指示ネットを配設し、該樹木指示ネットにて樹木の根鉢を支持すべく、軽量人工土壌に樹木を植樹可能とした被土屋根構造も知られている（特開平１１−３３２３７２号公報参照）。
【０００４】
一方で、車庫や斜面等はコンクリート施工によって表面が平らとなっているが、人工物故に見た目には無味な感じを抱かせるものであるが、コンクリト上を緑化して視認性に富む状況を創造するという発想は今まで無かった。
【特許文献１】実開平７−１７０２５号公報
【特許文献２】特開平１１−３３２３７２号公報
【発明の開示】
【発明が解決しようとする課題】
【０００５】
鉢や広い土壌に生育する植裁は、当然なことながら根が土壌内部に張るために、引き抜く際に相当な引張り力を必要とする他に、対象の植裁のみばかりでなく周りの他の植裁も同時に抜いてしまうという課題を有していた。
【０００６】
特に芝材のように、根が絡まって広く伸びる性質の植裁の場合には、部分的な引き抜きは上記の理由から難しいものであった。
【課題を解決するための手段】
【０００７】
本発明者は係る課題を解決するために鋭意研究したところ、所定形状の鉢状ブロック体を仕切体で仕切ると共に、該仕切体底部にスコッチブライト（商品名）の様な多孔物質を敷き詰め、その上に土壌や必要な肥料を配設して芝種を植え込みして育成すると、仕切体毎に容易に引き抜くことができることを見いだし、本発明に係る植裁用ブロック体及び該ブロック体を用いる植裁簡易育成方法を提供することができた。
【０００８】
すなわち本発明の第一は、縦状枠体を有する植裁用ブロック体において、外枠体内部に複数の仕切材を連接すると共に、該仕切体底部は有孔で、且つ、外枠体の底部より少なくとも５ｍｍ以上の高さを有するように一体成形されてなる植裁用ブロック体である。
【０００９】
本発明の第二は、前記植裁用ブロック体の各仕切部の底部には、多孔質物質が載置されていることを特徴とする請求項１記載の植裁用ブロック体である。
【００１０】
本発明の第三は、前記植裁用ブロック体の外枠外部には、嵌合可能な窪み部と引っ掛け部とが相反する向きに設置されて、複数のブロック体を連結可能にしていることを特徴とする請求項１及び請求項２記載の植裁用ブロック体である。
【００１１】
本発明の第四は、前記植裁用ブロック体の外枠側面の底部には、複数のＬ字状の固定具が取付けられてピン固定可能となっていることを特徴とする請求項１〜請求項３記載の植裁用ブロック体である。
【００１２】
本発明の第五は、外枠体内部に複数の仕切材を連接すると共に、該仕切体底部は有孔で、且つ、外枠体の底部より少なくとも５ｍｍ以上の高さを有する植裁用ブロック体を用いて、該仕切体内部に多孔質物質を設置し、次いで土壌を仕切体上面まで充填して植裁を植えてなることを特徴とする植裁簡易育成方法である。
【００１３】
本発明の第六は、外枠体内部に複数の仕切材を連接すると共に、該仕切体底部は有孔で、且つ、外枠体の底部より少なくとも５ｍｍ以上の高さを有する植裁用ブロック体を用いて、該仕切体内部に多孔質物質を設置し、次いで土壌を仕切体上面まで充填して植裁を植えた複数の植裁用ブロック体を連結すると共に、建築物の車庫、屋上、斜面に設置してピン固定することを特徴とする植裁簡易育成方法である。
【発明の効果】
【００１４】
本発明に係る植裁用ブロック体は単一で使用することも、勿論、連結して幅広い面積とすることもできるが、外枠に設けた複数のＬ字状の固定具でコンクリート上面にピン固定することができる為に、車庫や屋上、或いは斜面を利用してピン固定でき、これらの上面を緑化することができるようになっている。
【００１５】
また、従来屋上等での緑化の場合には、屋上の屋根スラブの上面に断熱材を敷き詰め、該断熱材の上面に防根性を有するシート防水を施して防水層を形成し、該防水層の上面に貯水可能な保水マットを敷いて保水層を形成し、該保水層の上面に排水性の高い軽量人工土壌を敷き詰めるように相当な材料費と多くの施工時間を必要としているのに対し、本発明の植裁簡易育成方法は、上記植裁用ブロック体を連結固定するだけでよいために安価に広い面積を緑化できるものである。
【００１６】
本発明の大きな特徴は、外枠体内部に設けた仕切体毎に植裁の根が内部に設けた多孔質物質に伸びているために、上方から植裁を引き抜くと土壌と共に多孔質物資が根と一緒に引き抜くことができ、誰でもが力を入れることなく容易に作業ができるようになっている。
【発明を実施するための最良の形態】
【００１７】
本発明で使用する植裁用ブロック体は、図１に示すように外枠体２の内部に仕切体３が縦横に配設されており、仕切体の底部には有孔４が設けられていると共に、該仕切体の底部は外枠床面より少なくとも５ｍｍ以上の高さを有するように設計され、仕切体底部の有孔４から流れ出た水が外枠体２の底部に設けた排水溝５を通って流れ出るようにしている。
【００１８】
また、仕切体底部に挿入する多孔質物質としては、市販のスコッチブライト（商品名）を用いたが、この物質は、多孔質である為に植裁の根が入り込みやすい様になっている他、保水性に富む性質を持っている。
【００１９】
本発明においては、上記スコッチブライト（商品名）の他に、多孔質であると共に、保水性に富む材質であれば、他の物質であっても勿論使用可能である。
【００２０】
本発明で使用する植裁用ブロック体は、外枠体２がある程度の厚みを有してあれば良く、本実施例のように車庫に用いる場合には、車の重量に耐えうるために外枠幅を１０ｍｍ以上、仕切板幅を４ｍｍ以上の塩ビ材を用い、また、屋上に設ける場合には、素足で歩けるようにするために外枠幅を３ｍｍ以上、仕切板幅を２ｍｍ以上のゴム材を用いて痛さを感じさせないようにしている。
【００２１】
これらの植裁用ブロック体の材質としては、外枠体２や仕切体３とを一体成形して製造するために硬質性の樹脂材やゴム材を用いているが、塩ビ材やゴムチップ材等の安価な材料で一体成形できるものであればよい。
【００２２】
上記素材の他に、さらに堅強な素材を用いる場合には、外枠に鉄材や軽量コンクリート等のある程度の重量に耐えうる素材を、仕切体に鉄、銅、アルミニウム等の金属からなる硬質素材等を組み合わせた植裁用ブロック体を用いても良い。
【００２３】
上記植裁用ブロック体の形状としては、実施例に示す四角形状及び円形形状のみだけで無く、三角形状や楕円形状等の好みの形状のブロック体を作り、単独又は連接して用いることが可能である。
【実施例１】
【００２４】
縦幅４０ｃｍ、横幅３０ｃｍ、高さ５ｃｍからなる図１に示す塩ビ製の植裁用ブロック体１を複数個用いて、図３に示すように多孔物質７としてスコッチブライト（商品名）を厚み２ｃｍ程度になるように各仕切体３底部に押さえつけ、その上から肥料８と土壌９を入れてほぼ外枠面に平行となるように土壌表面をならし、芝種を植え付けて芝１０を育成した。
【００２５】
該植裁用ブロック体１を、縦幅２．５ｍ、横幅２ｍの自動車用車庫のコンクリート面に配置しながら１個毎、外枠に設けたＬ字状の固定具６を利用してピン固定をし、順次、ピン固定を繰り返して図４に示すように自動車用車庫の平面を被覆した。
【００２６】
この場合、連結した植裁用ブロック体の外側には縦幅２．５ｍ、横幅５ｃｍ、高さ５ｃｍの角材１１を接着して、コンクリート面にボルト固定して内部の植裁用ブロック体１が自動車の圧力で移動しないように保護するとよい。
【実施例２】
【００２７】
図４は、屋上等の広い場所において連結組み合わせを変えて花卉等の植裁を植えることができる別な形態の植裁用ブロック体１２を示す斜視図である。この植裁用ブロック体１２は一例として外径が４０ｃｍ、高さ１０ｃｍからなる塩ビ製の円形状の外枠体１３を有し、該外枠内部を仕切体１４で複数の部屋に仕切っている。
【００２８】
上記塩ビ製の植裁用ブロック体１を複数個用いて、実施例１と同様に多孔物質７としてスコッチブライト（商品名）を厚み３ｃｍ程度になるように各仕切体３底部に押さえつけ、その上から肥料８と土壌９を入れてほぼ外枠面に平行となるように土壌表面をならし、複数の低木となる花卉種を選択して植え付けて多くの種類の花卉を育成した。
【００２９】
次いで、該植裁用ブロック体１２を屋上のコンクリート面に配置しながら１個毎、外枠に設けたＬ字状の固定具６を利用してピン固定をし、順次、ピン固定を繰り返して図６に示すように屋上の部分を利用して平面の一面を被覆した。
【実施例３】
【００３０】
縦幅４０ｃｍ、横幅３０ｃｍ、高さ５ｃｍからなる図１に示すゴム製の植裁用ブロック体１を複数個用いて、図３に示すように多孔物質７としてスコッチブライト（商品名）を厚み２ｃｍ程度になるように各仕切体３底部に押さえつけ、その上から肥料８と土壌９を入れてほぼ外枠面に平行となるように土壌表面をならし、芝種を植え付けて芝１０を育成した。
【００３１】
該植裁用ブロック体１を、図６に示す屋上のコンクリート面に配置しながら１個毎、外枠に設けたＬ字状の固定具６を利用してピン固定をし、順次、ピン固定を繰り返して芝生面を設けた。
【００３２】
この場合、連結した植裁用ブロック体の外側には縦幅２．５ｍ、横幅５ｃｍ、高さ５ｃｍの角材１１を接着して、コンクリート面にボルト固定して内部の植裁用ブロック体１が移動しないように保護したが、ゴム製の外枠体や仕切体は人間が裸足で芝生面を歩いた場合に重力で押されるために怪我をすることが無い。
【図面の簡単な説明】
【００３３】
【図１】本発明で使用する植裁用ブロック体を示す斜視図である。
【図２】図１における植裁用ブロック体の断面図である。
【図３】図２の部分拡大図である。
【図４】図１に示す植裁用ブロック体を連結して得た連結ブロック体を示す平面図である。
【図５】本発明で使用する別な形態の植裁用ブロック体を示す斜視図である。
【図６】図１及び図５に示す植裁用ブロック体を連結して得た連結ブロックを示す平面図である。
【符号の説明】
【００３４】
１・・・植裁用ブロック体
２・・・外枠体
３・・・仕切体
４・・・有孔部
５・・・排水溝
６・・・固定具
７・・・多孔物質
８・・・肥料
９・・・土壌
１０・・芝
１１・・角材
１２・・植裁用ブロック体
１３・・外枠体
１４・・仕切体
１５・・排水溝
１６・・固定具
１７・・屋上
１８・・芝生連結ブロック体
１９・・花卉連結ブロック体
【図１】
2007082497.tif 000003
【図２】
2007082497.tif 000004
【図３】
2007082497.tif 000005
【図４】
2007082497.tif 000006
【図５】
2007082497.tif 000007
【図６】
2007082497.tif 000008